(57)【特許請求の範囲】
【請求項１】
セッター本体（１）と、セッター本体（１）に交換装着される複数種のアタッチメント（Ａ１）・（Ａ２）・（Ａ３）とを備えており、
セッター本体（１）は、送風ファン（２）およびヒータ（３）を内蔵する筒状の本体ケース（４）と、本体ケース（４）の吹出口（５）側に連結固定される筒状のホルダ（６）とを有し、
各アタッチメント（Ａ１）・（Ａ２）・（Ａ３）は、ホルダ（６）に外嵌装着することによってセッター本体（１）と一体化することができ、
イオン発生装置を構成するトランス（３１）と放電ユニット（２７）とは、トランス（３１）が本体ケース（４）の内部に、放電ユニット（２７）がホルダ（６）の内部にそれぞれ分離して配置されており、
ホルダ（６）が、本体ケース（４）との連結端に設けた接続筒（１６）と、放電ユニット（２７）を収容する支柱筒（１７）とを備えており、
放電ユニット（２７）が、電極フレーム（３４）と、電極フレーム（３４）に分離して配置された複数個の放電電極とを含み、
放電電極と対向する支柱筒（１７）の周囲壁に開口面積の大きなイオン送出口（２１）が形成され、残る支柱筒（１７）の周囲壁に開口面積が小さな一群の通気口（２２）が開口していることを特徴とするヘアーセッター。
【請求項２】
ホルダ（６）に外嵌装着した各々のアタッチメント（Ａ１）・（Ａ２）・（Ａ３）が、ホルダ（６）の突端に設けた係合体（２３）と、ホルダ（６）の連結基端に設けた接続筒（１６）とで支持されて、本体ケース４と各々のアタッチメント（Ａ１）・（Ａ２）・（Ａ３）との間に設けたロック手段で固定保持されており、
各々のアタッチメント（Ａ１）・（Ａ２）・（Ａ３）とホルダ（６）との間には、ホルダ（６）の送出口（１８）から吹き出る乾燥風の外通気路（７２）が形成されている請求項１記載のヘアーセッター。
【請求項３】
ホルダ（６）と、ホルダ（６）内の放電ユニット（２７）との間には、放電ユニット（２７）で生成したマイナスイオンをホルダ（６）の外へ送出するための内通気路（７１）が形成されている請求項２記載のヘアーセッター。
【請求項４】
本体ケース（４）が、ケース中心軸線に沿って分割形成された一対の分割ケース（４ａ）・（４ｂ）を接合することより構成されており、
プラスチック成形品からなるホルダ（６）の接続筒（１６）が一対の前記分割ケース（４ａ）・（４ｂ）で抱持され、両分割ケース（４ａ）・（４ｂ）が、接続筒（１６）に外嵌固定した金属製の連結キャップ（２５）で分離不能に係合固定されている請求項１記載のヘアーセッター。
【請求項５】
ホルダ（６）の支柱筒（１７）の外周面に、遠赤外線放射層（１７ａ）が形成されている請求項１記載のヘアーセッター。
【請求項６】
電極フレーム（３４）に装着される複数個の放電電極が、複数の放射中心線に沿って分離配置してある請求項１記載のヘアーセッター。
【請求項７】
電極フレーム（３４）に装着される複数個の放電電極が、電極フレーム（３４）の長手方向に沿って分離配置してある請求項１記載のヘアーセッター。
【請求項８】
電極フレーム（３４）に装着される放電電極が、背中合わせ状に配置される中央電極（４１）と、電極フレーム（３４）を間に挟んで中央電極（４１）の周囲を囲む周囲電極（４２）および誘電筒（４３）とで構成されており、
対をなす中央電極（４１）および周囲電極（４２）のそれぞれが１個のユニット部品として形成されている請求項５〜７のいずれかに記載のヘアーセッター。
【請求項９】
電極フレーム（３４）が、横断面がコ字状の主枠（３５）と、主枠（３５）の上下に形成される円形の電極座（３８）と、中央電極（４１）を電極座（３８）の中央部に装填するためのスリット（３９）とを備えており、背中合わせ状に配置した左右一対の中央電極（４１）・（４１）からなる上下の電極対どうしが、リード板（４４）で接続されて一体化されており、
各電極座（３８）に外嵌状に装着される４個の周囲電極（４２）が、横枠（４５）と縦枠（４６）とを介して一体化されており、
主枠（３５）内に装填したリード板（４４）が、主枠（３５）内に充填した絶縁シール材（４７）で固定されており、
電極座（３８）に外嵌装着した周囲電極（４２）の横枠（４５）が、電極座（３８）の周面に形成した溝（５０）と係合して位置決めされている請求項８記載のヘアーセッター。
【発明の詳細な説明】
【技術分野】
【０００１】
本発明は、温風を吹き出し供給するセッター本体と、ブローブラシ、ロールブラシ、ノズルなどのセッター本体に対して付け換え可能な複数種のアタッチメントとを備えているヘアーセッターに関する。
【背景技術】
【０００２】
本発明は、ブローブラシやロールブラシなどのアタッチメントが、セッター本体の一側に設けたホルダに外嵌装着されたヘアーセッターを対象とする。この種のヘアーセッターは特許文献１に公知である。そこでは、ホルダの内部に蒸気発生用のヒータを配置し、ホルダの外面にロールブラシが装着されている。
【０００３】
本発明のヘアーセッターにおいては、前記ホルダ内にマイナスイオン発生装置の放電電極を配置して、ホルダに装着のブローブラシやロールブラシで捕捉した髪に対してマイナスイオンを送給する。この種のマイナスイオン発生装置を備えたヘアーセッターは、特許文献２、３に公知である。特許文献４のヘアーセッターにおいては、セッター本体の一側に設けたかまぼこ形のホルダ部に、アタッチメント化したブローブラシを着脱できるようにしてあり、そのホルダ部の内部にマイナスイオン発生装置が配されている。
【０００４】
【特許文献１】特開平５−１６８５１５号公報（段落番号０００９、図１）
【特許文献２】特開２００２−３６９７１３号公報（段落番号００２０、図１）
【特許文献３】特開平９−３５０号公報（段落番号００２４、図１）
【特許文献４】特開２００３−２８４６０９号公報（段落番号００２９、図１）
【発明の開示】
【発明が解決しようとする課題】
【０００５】
複数種のアタッチメントを備えたヘアーセッターにおいて、例えば特許文献２のように、個々のアタッチメントにマイナスイオン発生装置の放電電極を組み込んであると、ヘアーセッターの全体コストが高く付く。このようなコスト増を避けるには、特許文献４の例にみるように、セッター本体のホルダ部の内部に、マイナスイオン発生用の放電電極、トランス、回路基板などを設けて、個々のアタッチメントの構造を簡素化するとよい。
【０００６】
因みに、アタッチメント化されたロールブラシ、ブローブラシ、ノズルなどをセッター本体のホルダ部に対して付け換え可能とするには、ホルダに対する各アタッチメントの装着構造を共通化することが要求される。
【０００７】
また、特許文献４のヘアーセッターのように、かまぼこ形のホルダ部にロールブラシを装着することは極めて困難であるから、各アタッチメントの構造の違いを考慮すると、円筒状に構成されるロールブラシを基準にしてホルダの形態を決定せざるを得ない。具体的には、ホルダをロールブラシに対応して筒状に形成したうえで、ブローブラシやノズルなどの装着構造をロールブラシの装着形式と一致させるのが合理的である。
【０００８】
しかし、ロールブラシにホルダを対応させて筒状に形成する場合には、特許文献４のヘアーセッターのように放電電極、トランス、回路基板などを筒状のホルダ内に収容することが困難となる。ホルダを大径化すると先の部品を収容することはできるが、アタッチメント化されたロールブラシやブローブラシが大形化し、使いやすさが大幅に損なわれるからである。
【０００９】
本発明の目的は、マイナスイオン発生用の放電ユニットやトランスなどの機器配置を好適化することにより、セッター本体の一側に設けたホルダを小形化し、これによってブローブラシ、ロールブラシ、ノズルなどのアタッチメントの使いやすさが向上するヘアーセッターを提供することにある。
【００１０】
本発明の目的は、ブローブラシ、ロールブラシ、ノズルなどのアタッチメントをセッター本体に対して付け換えることにより、整髪、乾燥、くせ付けなどの髪処理が幅広く行え、全ての髪処理場面において、より大量のマイナスイオンを髪に送給して髪に潤いを与えながら仕上げることが可能なヘアーセッターを提供することにある。
【課題を解決するための手段】
【００１１】
本発明のヘアーセッターは、セッター本体１と、セッター本体１に交換装着される複数種のアタッチメントＡ１・Ａ２・Ａ３とを備えている。セッター本体１は、図１に示すごとく送風ファン２およびヒータ３を内蔵する筒状の本体ケース４と、本体ケース４の吹出口５側に連結固定される筒状のホルダ６とを有する。
【００１２】
各アタッチメントＡ１・Ａ２・Ａ３は、図２に示すごとくホルダ６に外嵌装着することによってセッター本体１と一体化することができる。以て、イオン発生装置を構成するトランス３１と放電ユニット２７とは、トランス３１が本体ケース４の内部に、放電ユニット２７がホルダ６の内部に分離してそれぞれ配置されていることを特徴とする。
【００１３】
ホルダ６に外嵌装着した各々のアタッチメントＡ１・Ａ２・Ａ３は、ホルダ６の突端に設けた係合体２３と、ホルダ６の連結基端に設けた接続筒１６とで支持して、本体ケース４と各々のアタッチメントＡ１・Ａ２・Ａ３との間に設けたロック手段で固定保持する。各々のアタッチメントＡ１・Ａ２・Ａ３とホルダ６との間には、図４に示すごとくホルダ６の送出口１８から吹き出る乾燥風の外通気路７２が形成されている。
【００１４】
更に、ホルダ６と、ホルダ６内の放電ユニット２７との間には、図４に示すごとく放電ユニット２７で生成したマイナスイオンをホルダ６の外へ送出するための内通気路７１が形成されている。
【００１５】
前記本体ケース４は、ケース中心軸線に沿って分割形成された一対の分割ケース４ａ・４ｂを接合することにより構成し、プラスチック成形品からなるホルダ６の接続筒１６を一対の分割ケース４ａ・４ｂで抱持し、両分割ケース４ａ・４ｂは、図４および図５に示すごとく、接続筒１６に外嵌固定した金属製の連結キャップ２５で分離不能に係合固定することができる。
【００１６】
ホルダ６は、図１に示すごとく本体ケース４との連結端に設けた接続筒１６と、放電ユニット２７を収容する支柱筒１７とを備えている。そこでの放電ユニット２７は、電極フレーム３４と、電極フレーム３４に分離して配置された複数個の放電電極とを含み、図２に示すごとく、放電電極と対向する支柱筒１７の周囲壁に開口面積の大きなイオン送出口２１を形成し、残る支柱筒１７の周囲壁に開口面積が小さな一群の通気口２２を開口することができる。そのホルダ６の支柱筒１７の外周面には、図６に示すごとく遠赤外線放射層１７ａを形成することができる。
【００１７】
電極フレーム３４に装着される複数個の放電電極は、複数の放射中心線に沿って分離配置する。または、電極フレーム３４に装着される複数個の放電電極は、電極フレーム３４の長手方向に沿って分離配置する。
【００１８】
または、電極フレーム３４に装着される放電電極は、背中合わせ状に配置される中央電極４１と、電極フレーム３４を間に挟んで中央電極４１の周囲を囲む周囲電極４２および誘電筒４３とで構成し、対をなす中央電極４１および周囲電極４２のそれぞれを１個のユニット部品として形成することができる。
【００１９】
その場合の電極フレーム３４は、図８に示すごとく横断面がコ字状の主枠３５と、主枠３５の上下に形成される円形の電極座３８と、中央電極４１を電極座３８の中央部に装填するためのスリット３９とを備えており、背中合わせ状に配置した左右一対の中央電極４１・４１からなる上下の電極対どうしが、リード板４４で接続して一体化されており、各電極座３８に外嵌状に装着される４個の周囲電極４２が、横枠４５と縦枠４６とを介して一体化されており、主枠３５内に装填したリード板４４が、図６に示すごとく主枠３５内に充填した絶縁シール材４７で固定されており、電極座３８に外嵌装着した周囲電極４２の横枠４５が、電極座３８の周面に形成した溝５０と係合して位置決めされた形態にすることができる。
【発明の効果】
【００２０】
本発明のヘアーセッターは、送風ファン２およびヒータ３を内蔵する筒状の本体ケース４と、本体ケース４の吹出口５側に連結固定される筒状のホルダ６とでセッター本体１を構成し、ホルダ６に対して複数種のアタッチメントＡ１・Ａ２・Ａ３を交換装着できるようにした。そのうえで、イオン発生装置を構成するトランス３１は、スペースに余裕のある本体ケース４の内部に配置し、トランス３１に比べてコンパクトな放電ユニット２７のみをホルダ６の内部に分離して配置した。
【００２１】
かかる本発明によれば、イオン発生装置が組み込まれたヘアーセッターであるにもかかわらず、各アタッチメントＡ１・Ａ２・Ａ３が装着されるホルダ６を十分に小形化できる。これにより、ロールブラシＡ１、ブローブラシＡ２、ノズルＡ３などが大形化するのを防止して、各アタッチメントＡ１・Ａ２・Ａ３の使いやすさの向上を図りながら、整髪、乾燥、くせ付けなどの髪処理を幅広く行えるヘアーセッターが得られる。
【００２２】
各々のアタッチメントＡ１・Ａ２・Ａ３は、ホルダ６の突端に設けた係合体２３と、ホルダ６の連結基端に設けた接続筒１６とで支持することにより、各々のアタッチメントＡ１・Ａ２・Ａ３とホルダ６との間に形成した外通気路７２を介して乾燥風を送給できるようにしてあると、ホルダ６内の放電ユニット２７で生成したマイナスイオンは、外通気路７２を流動する乾燥風に乗せて効果的に髪へ吹き出し供給できる。ホルダ６の突端と連結基端の２箇所で固定支持した各アタッチメントＡ１・Ａ２・Ａ３は、セッター本体１に対して常に安定した装着状態となり、整髪、乾燥、くせ付けなどの髪処理が使用者の意図通りに的確に行える。
【００２３】
ホルダ６の内部に、放電ユニット２７で生成したマイナスイオンをホルダ６外に送出するための内通気路７１が形成されていると、内通気路７１を流動する乾燥風によっても、放電ユニット２７で生成したマイナスイオンを強制的にホルダ６の周囲の外通気路７２へ送出できるので、構造が異なる各アタッチメントＡ１・Ａ２・Ａ３の使用時に、放電ユニット２７で生成したマイナスイオンを、外通気路７２を介して確実に髪へ吹き出し供給して、髪処理を効果的に行える。
【００２４】
一対の分割ケース４ａ・４ｂで本体ケース４を構成し、ホルダ６の接続筒１６を一対の分割ケース４ａ・４ｂで抱持し、さらに分割ケース４ａ・４ｂを接続筒１６に外嵌固定した金属製の連結キャップ２５で分離不能に係合固定してあると、本体ケース４に対してホルダ６をぐらつきのない状態で強固に接続固定して堅牢度を向上できる。使用時には、連結キャップ２５の外面が各アタッチメントＡ１・Ａ２・Ａ３に共通の連結筒５１で覆われているので、加熱されやすい連結キャップ２５に肌が接触するのを確実に防止し、高温の温風を各アタッチメントＡ１・Ａ２・Ａ３に送給する場合でも安全に使用できる。
【００２５】
電極フレーム３４と、これに対して分離配置した複数個の放電電極とで放電ユニット２７を構成し、放電電極と対向する支柱筒１７の周囲壁に開口面積の大きなイオン送出口２１を形成し、残る支柱筒１７の周囲壁に開口面積が小さな一群の通気口２２を開口したホルダ６によれば、放電ユニット２７で生成したマイナスイオンは、開口面積の大きなイオン送出口２１から、ホルダ６に装着した各アタッチメントＡ１・Ａ２・Ａ３の外面へ向かって抵抗なく確実に送出できる。一群の通気口２２からは主として乾燥風が送出されるが、この乾燥風は、外通気路７２を流動する乾燥風と協同して、外通気路７２に放出されたマイナスイオンを各アタッチメントＡ１・Ａ２・Ａ３の外面へ送出することに役立つ。
【００２６】
ホルダ６の支柱筒１７の外周面に遠赤外線放射層１７ａが形成されていると、各アタッチメントＡ１・Ａ２・Ａ３の使用時に等しく遠赤外線を放出して、髪を内部からより速やかに加熱でるので、整髪、乾燥、くせ付けなどの髪処理をさらに効果的に行える。個々のアタッチメントＡ１・Ａ２・Ａ３に遠赤外線放射層１７ａを形成する必要がないので、ヘアーセッターこれ全体の製造コストを削減化できる。
【００２７】
複数個の放電電極が電極フレーム３４の複数の放射中心線に沿って分離配置してあると、各放電電極で生成したマイナスイオンを複数の放射中心線に沿って放出できるので、例えばロールブラシＡ１を使用する場合に、ブラシに巻きつけられた髪に均等にマイナスイオンを送給できるし、一方向へのみ乾燥風を吹き出すブローブラシＡ２やノズルＡ３などを使用する場合にも、より大量のマイナスイオンを髪に吹き付けることができる。
【００２８】
複数個の放電電極が電極フレーム３４の長手方向に沿って分離配置されていると、支柱筒１７の長手方向の複数箇所からマイナスイオンを送給して、ロールブラシＡ１やブローブラシＡ２に捕捉された髪、あるいはノズルＡ３のノズル口８５と正対する髪に対しても満遍なくマイナスイオンを送給して、整髪、乾燥、くせ付けなどの髪処理が効果的に行える。
【００２９】
背中合わせ状に配置される中央電極４１と、電極フレーム３４を間に挟んで中央電極４１の周囲を囲む周囲電極４２および誘電筒４３などで放電電極を構成し、対をなす中央電極４１および周囲電極４２のそれぞれが１個のユニット部品として形成されていると、それぞれ背中合わせ状に配置される中央電極４１と周囲電極４２とを、電極フレーム３４に対してより少ない手間で組み付けることができるので、放電ユニット２７の組み立てに要する手間が軽減し、その製造コストを削減できる。中央電極４１および周囲電極４２を個別に組み付ける場合に比べて、位置決めの手間も省くことができる。
【００３０】
背中合わせ状に配置した左右一対の中央電極４１・４１からなる上下の電極対どうしをリード板４４で接続して一体化し、４個の周囲電極４と横枠４５と縦枠４６とを一体化して、これらのユニット部品を電極フレーム３４の主枠３５および電極座３８に組み付けるようにした放電ユニット２７によれば、４個の放電電極の組み立てが更に少ない手間で行えて、放電ユニット２７の組み付けコストを削減化できる。さらに、上下の電極対どうしをリード板４４で接続して一体化し、あるいは４個の周囲電極４と横枠４５と縦枠４６とを１個の部品として構成してあると、中央電極４１および周囲電極４２を電極フレーム３４に個別に組み付ける場合に比べて、放電ユニット２７の信頼性が向上して、マイナスイオンの生成がばらつきなく均一になる。
【発明を実施するための最良の形態】
【００３１】
（実施例１）  図１ないし図１１は本発明に係るヘアーセッターの実施例１を示す。図１および図２において本発明のヘアーセッターは、上下縦長のセッター本体１と、セッター本体１に交換装着される複数種のアタッチメントＡ１・Ａ２・Ａ３とを備えている。
【００３２】
セッター本体１は、送風ファン２およびヒータ３などを内蔵する筒状の本体ケース４と、図１において本体ケース４の上端の吹出口５側に連結固定される丸筒状のホルダ６とを有する。先のアタッチメントＡ１・Ａ２・Ａ３は、それぞれホルダ６に外嵌装着することによってセッター本体１と一体化する。
【００３３】
グリップを兼ねる本体ケース４の上部外面には、モータ２ａおよびヒータ３への通電状態を切り換えるスイッチノブ７と、ホルダ６に装着したアタッチメントＡ１を取り外すためのロック解除用のボタン８と、ヘアーセッターの稼動状態を表示する表示灯９などを設けてある。
【００３４】
送風ファン２は、本体ケース４の下端に設けた吸込口１１から吸い込んだ空気を加圧して吹出口５へ向かって送出する。ヒータ３は十文字状に組んだ絶縁枠にニクロム線を螺旋状に巻き付けて構成してあり、その外周面が金属板製の導風筒１２で覆われている。導風筒１２の上端の開口が、先の吹出口５となる。
【００３５】
本体ケース４は、ケース中心軸に沿って左右に分割された一対の分割ケース４ａ・４ｂを接合することで構成されており（図５参照）、その上端内面にホルダ６を連結固定するための溝１３が形成されている。この溝１３の上壁上面には、３個の係合爪１４を上向きに突設してある（図４参照）。
【００３６】
ホルダ６は、本体ケース４との連結端（下端）側に設けられた大径丸筒状の接続筒１６と、接続筒１６の上部に連続する小径丸筒状の支柱筒１７とを一体に備えたプラスチック成形品である。接続筒１６と支柱筒１７との間には、温風や冷風を吹き出す送出口１８が開口している。接続筒１６と支柱筒１７とは、送出口１８を周方向へ区分する放射状のリブ１９を介して繋がっている。支柱筒１７の外周面には、図６に示すごとく例えばセラミック製の遠赤外線放射体をコーティングして遠赤外線放射層１７ａが形成されている。
【００３７】
接続筒１６の下部周面には、前記溝１３に係合するフランジ２０と、係合爪１４を受け入れる凹部とが形成されている。支柱筒１７の周囲壁には、後述する放電電極に対応する開口面積の大きな４個のイオン送出口２１と、開口面積の小さな一群の通気口２２とがそれぞれ開口している。
【００３８】
図４においてイオン送出口２１は、支柱筒１７の上下方向２個所の対向筒壁に２個ずつ、合計４個設けた。支柱筒１７の上端には上向きに開口する係合ボス（係合体）２３が一体に形成されており、その内部に四角形の締結枠２４が形成されている。
【００３９】
ホルダ６は、分割ケース４ａ・４ｂを蓋合わせ状に接合して固定することにより本体ケース４と一体化する。詳しくは、フランジ２０が溝１３と係合する状態で分割ケース４ａ・４ｂを蓋合わせ状に接合して、接続筒１６を一対の分割ケース４ａ・４ｂで抱持する。さらに、金属薄板製の連結キャップ２５を接続筒１６に外嵌装着して、係合爪１４を連結キャップ２５と接続筒１６とで内外に挟み固定する。この後に、図４に示すごとく連結キャップ２５の対向周面からビス６６を接続筒１６にねじ込むことにより、ホルダ６を本体ケース４に一体化する。
【００４０】
ホルダ６に装着した各アタッチメントＡ１・Ａ２・Ａ３で髪処理を行うとき、マイナスイオンを髪に送給するために、セッター本体１の内部にイオン発生装置が組み込まれる。そのイオン発生装置はイオン発生ユニット２６と、放電ユニット２７と、これら両者２６・２７を接続する高圧リード２８などを含む。
【００４１】
図７においてイオン発生ユニット２６は、商用電源から供給される１００Ｖの電流を半波整流する整流回路２９と、整流された電流をパルス電流に変換するパルス発生回路３０と、パルス電流を昇圧するトランス３１などで構成する。実際には、整流回路２９やパルス発生回路３０などが実装された基板と、トランス３１とを直方体状にプラスチック成形された絶縁ブロック内に封入してイオン発生ユニット２６を構成している。
【００４２】
ホルダ６の支柱筒１７は直径寸法が小さいので、その内部にイオン発生ユニット２６を配置することはできない。そこで、外形寸法が大きなイオン発生ユニット２６はスペースに余裕のある本体ケース４の内部に配置し、放電ユニット２７のみを支柱筒１７の内部に配置する。
【００４３】
詳しくは、図１に示すように送風ファン２のモータ２ａに丸筒状のケース３２を固定し、その内部にイオン発生ユニット２６を収容する。このように、モータ２ａに隣接する空間を利用してイオン発生ユニット２６およびケース３２が配置されていると、送風ファン２から送出された空気の流れがイオン発生ユニット２６によって乱されることがなく、本体ケース４内における通風抵抗が小さくなり、その分だけ送風ファン２の送風効率が向上する。
【００４４】
放電ユニット２７は、プラスチック成形された電極フレーム３４と、電極フレーム３４に分離して配置される４個の放電電極とで構成する。電極フレーム３４は、図８に示すように横断面がコ字状の主枠３５の上下に、締結ボス３６とつまみ３７とを一体に備えている。主枠３５の左右側壁の上下両端には、それぞれ円形の電極座３８と、中央電極４１を電極座３８の中央部に装填するためのスリット３９とが形成してある。スリット３９は、電極座３８の１箇所を分断するよう形成されていて主枠３５の枠内空間に連続している。
【００４５】
個々の放電電極は、針状の中央電極４１と、Ｃ字リング状の周囲電極４２と、筒形のマイカからなる誘電筒４３とで構成されている。中央電極４１は周囲電極４２との間で放電を行ってイオンを発生させ、周囲電極４２は中央電極４１の放電のきっかけをつくるために設けられる。誘電筒４３は、中央電極４１と周囲電極４２との間で火花放電が生じてイオン発生量が減少するのを防ぐために設けられており、周囲電極４２と同心状に配置される。４個の放電電極の組み付けを容易化するために、図８に示すように左右一対の中央電極４１・４１は、各中央電極４１・４１の先端が正反対の方向を向く状態で背中合わせ状に配置し、さらに上下の電極対どうしをリード板４４で接続する。
【００４６】
イオン発生ユニット２６から導出した高圧リード２８は、リード板４４に接続する。左右の周囲電極４２は横枠４５を介して一体化してあり、上下の横枠４５は縦枠４６を介して一体化してある。つまり、４個の周囲電極４２と横枠４５と縦枠４６とは、薄い銅板を素材にして１個のプレス成形品として形成した。符号４８は縦枠４６に接続されるアースリードである。高電圧が印加される高圧リード２８は、アースリード４８に比べて充分に太いリード線で形成してある。
【００４７】
４個の中央電極４１が固定されたリード板４４を主枠３５に嵌め込みながら、中央電極４１をスリット３９に差し込み装填した状態で、主枠３５内にシリコンゴムなどの絶縁シール材４７を充填することにより、中央電極４１およびリード板４３を電極フレーム３４に固定して、中央電極４１を電極座３８の中央に位置させることができる。
【００４８】
この後に、周囲電極４２を電極座３８の周囲に嵌め込み固定し、さらに誘電筒４３を電極座３８の内面に嵌め込み固定することにより、電極フレーム３４の上下２箇所に、背中合わせ状に隣接する２組の放電電極を設けることができる。この組み付け状態における横枠４５は、電極座３８の周面に凹み形成した溝５０と係合して位置決めされている（図６参照）。
【００４９】
上記構成の放電ユニット２７は、ホルダ６の支柱筒１７の内部に装填し、締結ボス３６を締結枠２４に差し込み係合したうえで、図１に示すようにビス４９を係合ボス２３側から締結ボス３６にねじ込むことにより、放電ユニット２７をホルダ６に一体化する。このとき、つまみ３７をつかんだ状態で放電ユニット２７を支柱筒１７の内部に装填することにより、締結ボス３６を締結枠２４に対して的確に係合することができる。この係合状態において、締結ボス３６は締結枠２４で回転不能に受け止められるので、４個の放電電極は、それぞれ支柱筒１７に開口したイオン送出口２１に対して的確に正対させることができる。
【００５０】
ホルダ６に付け換えられるアタッチメントとして、図示例ではロールブラシＡ１と、ブローブラシＡ２と、ノズルＡ３の３種を用意した。これらのアタッチメントＡ１・Ａ２・Ａ３には、ホルダ６に対する共通の装着構造として、図２に示すごとく接続筒１６に外嵌する丸筒状の連結筒５１と、支柱筒１７の上端の係合ボス２３に係合する突起５２とを備えており、さらに連結筒５１と本体ケース４との間にロック手段を有する。連結筒５１の内面には、後述するロック爪６８を落ち込み係合させるためのロック溝５３が凹み形成されている（図１参照）。
【００５１】
図４および図６においてロールブラシＡ１は、ホルダ６の支柱筒１７に外嵌装着される固定内筒５４と、固定内筒５４に回転自在に支持されるブラシ体５５と、必要に応じてブラシ体５５を回転不能に保持するロックボタン５６と、ロックボタン５６を押し上げ付勢するばね５７とを含む。
【００５２】
固定内筒５４の周囲壁には、図６に示すごとく支柱筒１７に形成したイオン送出口２１に対応する４個のイオン出口６０と、一群の通気口６１とが開口しており、その下部に先の連結筒５１と乾燥風の吹出口６２とを設けてある。突起５２は、固定内筒５４の上端壁の内面にリング状の突起として形成した。
【００５３】
ブラシ体５５は上下面が開口する丸筒からなり、その周囲壁に櫛歯６３の列と、通気口６４の列とが交互に形成され、櫛歯列の上下２箇所で、固定内筒５４のイオン出口６０と正対する周壁にイオン出口６５が開口してある（図９参照）。常態においてブラシ体５５は固定内筒５４に対して回転できないが、ロックボタン５６をばね５７に抗して押し込み操作すると、図４に示すごとくロックボタン５６の爪５８とブラシ体５５の溝５９との係合が解除されて、ブラシ体５５は自由に回転できるので、ロックボタン５６の押し込み状態を維持することにより、ブラシ体５５に巻きつけた髪を容易に開放することができる。また、押し込み状態のロックボタン５６を開放すると、ブラシ体５５はロックボタン５６の爪５８に係合して定位置にロック固定されるので、ブラシ体５５に設けたイオン出口６５が固定内筒５４のイオン出口６０と正対する。
【００５４】
ロールブラシＡ１をホルダ６に装着した図３の状態においては、固定内筒５４の連結筒５１が接続筒１６で支持され、同時に突起５２が係合ボス２３に外嵌係合するので、ロールブラシＡ１の中心をホルダ６の中心に一致させて、その装着姿勢を適正化できる。
【００５５】
図１において前記ロック手段は、ロックボタン８と、ロックボタン８をロック姿勢に押圧付勢する圧縮コイル形のばね６７と、連結筒５１の内面に設けた前記ロック溝５３（図１０参照）とからなる。
【００５６】
ロックボタン８は、本体ケース４に対して出没自在に支持されており、その上部にロック溝５３に落ち込み係合するロック爪６８を一体に形成してある。ロックボタン８をばね６７に抗して押し込み操作すると、ロック爪６８とロック溝５３との係合が解除されるので、ロールブラシＡ１はホルダ６から分離して水洗い清掃できる。
【００５７】
使用状態において、本体ケース４の吹出口５から送出された乾燥風は、ホルダ６の送出口１８と、固定内筒５４の吹出口６２とを介してブラシ体５５の周面へと吹き出る。乾燥風の一部は、支柱筒１７の内部の内通気路７１（図４参照）を流動し、各放電電極から放出されるマイナスイオンと共にイオン送出口２１およびイオン出口６０から送出される。同時に、固定内筒５４と支柱筒１７との間に形成された外通気路７２を流動した乾燥風が、イオン出口６０と通気口６１から送出される。
【００５８】
マイナスイオンを含む乾燥風は、ブラシ体５５のイオン出口６５、および通気口６４から送出されてブラシ体５５に巻き付けられた髪と接触して髪に潤いを与える。４個の放電電極で生成したマイナスイオンを髪に送給するので、従来のこの種ヘアーセッターに比べて、髪に到達するマイナスイオンの量が増強し、髪処理作業が円滑に行える。
【００５９】
図２および図１０においてブローブラシＡ２は、下部に連結筒５１が一体に形成されたブラシホルダ７４と、ブラシホルダ７４の背面側を覆うカバー７５と、ブラシホルダ７４の前面側に固定されるゴム製のブラシベース７６と、ブラシベース７６に組み付けられた一群のブリッスル７７などで構成されている。
【００６０】
ブラシホルダ７４の上部内面には、係合ボス２３に外嵌係合する前記突起５２を形成してある。この場合の突起５２は、係合ボス２３を挟み保持する左右一対の板状の突起とした。ブラシベース７６の上下２箇所には、イオン出口７８が開口しており、ブリッスル７７の列の間に通気口７９の列が開口している。接続筒１６の内面にはロック溝５３が形成されており、接続筒１６の上部には乾燥風の一部を一群のブリッスル７７へ向かって吹き出す吹出口８０が開口している。
【００６１】
使用状態において、本体ケース４の吹出口５から送出された乾燥風は、ホルダ６の送出口１８からブラシホルダ７４の内部へ送出され、一部の乾燥風が吹出口８０からブリッスル７７へ向かって吹き出る。乾燥風と共にイオン送出口２１からブラシホルダ７４内へ送出されたマイナスイオンは、ブラシベース７６に開口したイオン出口７８や通気口７９から送出され、同時に支柱筒１７まわりに形成された外通気路７２を介して通気口７９から送出されて、ブリッスル７７に捕捉された髪に潤いを与る。
【００６２】
このとき、４個の放電電極で生成されたマイナスイオンの全てが、ブローブラシの片面に設けたイオン出口７８や通気口７９から集中的に送出されるので、ロールブラシＡ１を使用する場合に比べて、より大量のマイナスイオンが髪に付着して、潤い付与効果が向上する。
【００６３】
図２および図１１に示すように前記ノズルＡ３は、連結筒５１に連続する上すぼまり状の変向筒８３を有し、変向筒８３の前面側に上下に長いノズル筒８４を一体に形成したプラスチック成形品であり、ノズル筒８４の前面に開口するノズル口８５から乾燥風を吹き出し供給する。
【００６４】
支柱筒１７のイオン出口２１から送出されたマイナスイオンは、変向筒８３内を流動する乾燥風と共にノズル口８５から送出される。変向筒８３の内面上部には、係合ボス２３を挟み保持する左右一対の板状の突起５２が形成されており、接続筒１６の内面には前記ロック溝５３が形成されている。接続筒１６の筒壁の上部には、乾燥風の一部を吹き出す吹出口８６が開口している。ノズル筒８４の内面は２個の整流板８７で３個の区画に区分しておく。
【００６５】
各アタッチメントＡ１〜Ａ３を取り外した状態においては、熱風によって加熱された状態の支柱筒１７が剥き出しになるが、ホルダ６全体がプラスチック成形品で形成されていて熱伝動しにくいので、誤って手指が支柱筒１７に触れることがあったとしても熱さを感じにくく、火傷などを生じるおそれがない。
【００６６】
（別実施例）  図１２（ａ）〜（ｄ）は放電電極の配置形態を変更した本発明のそれぞれ異なる別実施例を示す。図１２（ａ）では、２個の放電電極を電極フレーム３４の上下に互違い状に配置した。図１２（ｂ）では、２個の放電電極を電極フレーム３４の上部に背中合わせ状に配置した。図１２（ｃ）では、３個の放電電極を３個の放射中心線に沿って分離配置した。図１２（ｄ）では、２個の放電電極を電極フレーム３４の一側上下に分離配置した。このように、電極フレーム３４に装着される放電電極は少なくとも２個以上あればよい。
【００６７】
上記の実施例以外に、アタッチメントとしては蓄熱式のヘアーカーラーなどをホルダ６に交換装着することができる。放電電極は、実施例で説明した構造である必要はなく、中央電極４１に印加される電圧を低く設定する場合には、誘電筒４３を省略することができる。また、中央電極４１に印加される電圧が高い場合でも、中央電極４１と周囲電極４２とが、前後に位置ずれする状態で配置してある場合には、火花放電を生じることがないので、誘電筒４３を省略することができる。マイカ板やセラミック板で形成される絶縁板（誘電体）の表と裏に放電電極と誘導電極を分離配置した沿面放電型であってもよく、あるいは２個の針状電極を対向配置した電極構造であってもよい。要は、イオンを発生できる放電電極であれば、その構造を限定するものではない。
【００６８】
突起５２と係合ボス２３とは、突起５２が係合ボス２３に内嵌係合する構造に変更できる。上記の実施例においては、整流回路２９やパルス発生回路３０などが実装された基板とトランス３１とが一体化してあるイオン発生ユニット２６を本体ケース１の内部に配置したが、その必要はなく、トランス３１のみを本体ケース１の内部に配置してもよい。その場合には、整流回路２９やパルス発生回路３０などが実装された基板をホルダ６内に配置してもよい。
【図面の簡単な説明】
【００６９】
【図１】セッター本体の分解断面図である。
【図２】ヘアーセッターの分解斜視図である。
【図３】ロールブラシを装着した状態のヘアーセッターの正面図である。
【図４】ヘアーセッターの上半部の断面図である。
【図５】図４におけるＡ−Ａ線断面図である。
【図６】図４におけるＢ−Ｂ線断面図である。
【図７】イオン発生装置の回路構造を示すブロック図である。
【図８】放電ユニットの分解斜視図である。
【図９】ロールブラシの側面図である。
【図１０】ブローブラシを装着した状態のヘアーセッターの断面図である。
【図１１】ノズルを装着した状態のヘアーセッターの断面図である。
【図１２】図１２（ａ）〜（ｄ）は放電電極の配置形態のそれぞれ異なる別実施例を示す説明図である。
【符号の説明】
【００７０】
１  セッター本体
２  送風ファン
３  ヒータ
４  本体ケース
４ａ・４ｂ  分割ケース
５  吹出口
６  ホルダ
１６  接続筒
１７  支柱筒
１７ａ  遠赤外線放射層
１８  送出口
２１  イオン送出口
２２  通気口
２３  係合体
２５  連結キャップ
２６  イオン発生ユニット
２７  放電ユニット
３４  電極フレーム
３５  主枠
３８  電極座
４１  中央電極
４２  周囲電極
４３  誘電筒
４４  リード板
４５  横枠
４６  縦枠
４７  シリコンゴム
５０  溝
７１  内通気路
７２  外通気路
Ａ１  ロールブラシ
Ａ２  ブローブラシ
Ａ３  ノズル
【図１】
0004577722.tif 000002
【図２】
0004577722.tif 000003
【図３】
0004577722.tif 000004
【図４】
0004577722.tif 000005
【図５】
0004577722.tif 000006
【図６】
0004577722.tif 000007
【図７】
0004577722.tif 000008
【図８】
0004577722.tif 000009
【図９】
0004577722.tif 000010
【図１０】
0004577722.tif 000011
【図１１】
0004577722.tif 000012
【図１２】
0004577722.tif 000013